(57)【要約】【課題】ステンレス鋼板のみを交換できる農作業機を提供する。【解決手段】農作業機１は、耕耘作業をする耕耘体11と、この耕耘体11の後方で整地作業をする整地板23とを備える。農作業機１は、整地板23の耕耘体11と対向する側の面の少なくとも一部を覆うステンレス鋼板25を備える。ステンレス鋼板25は、整地板23に対して脱着可能となっている。ステンレス鋼板25を整地板23に取り付ける場合、ステンレス鋼板25の上下端部を整地板23に対して解除可能に固定する。【選択図】図１
2014039488.tif 000002
【特許請求の範囲】
【請求項１】
耕耘作業をする耕耘体と、
この耕耘体の後方で整地作業をする整地板と、
この整地板の前記耕耘体と対向する側の面の少なくとも一部を覆うステンレス鋼板とを備え、
前記ステンレス鋼板は、前記整地板に対して脱着可能となっており、
前記ステンレス鋼板が前記整地板に取り付けられた状態では、前記ステンレス鋼板の上下端部が前記整地板に対して解除可能に固定されている
ことを特徴とする農作業機。
【請求項２】
ステンレス鋼板は、上方側に曲げられた曲板部を下端部に有し、
整地板の下端部が前記曲板部内に嵌入されることにより、前記ステンレス鋼板の下端部が前記整地板の下端部に対して解除可能に固定されている
ことを特徴とする請求項１記載の農作業機。
【請求項３】
整地板の下端部に設けられた係合体を備え、
ステンレス鋼板は、上方側に曲げられた曲板部を下端部に有し、
前記曲板部が前記係合体と係合することにより、前記ステンレス鋼板の下端部が前記整地板の下端部に対して解除可能に固定されている
ことを特徴とする請求項１記載の農作業機。
【請求項４】
整地板に突設され、係合凹部が形成された背板を備え、
ステンレス鋼板は、上方側に曲げられた曲板部を下端部に有し、
前記曲板部が前記係合凹部と係合することにより、前記ステンレス鋼板の下端部が前記整地板の下端部に対して解除可能に固定されている
ことを特徴とする請求項１記載の農作業機。
【請求項５】
ステンレス鋼板は、上方側に曲げられた曲板部を下端部に有し、
前記曲板部を整地板の下端部に対して固定するためのボルトおよびナットを備える
ことを特徴とする請求項１記載の農作業機。
【請求項６】
ステンレス鋼板の下端部を整地板の下端部に対して固定するためのボルトおよびナットを備え、
前記ボルトおよび前記ナットのいずれか一方が、前記ステンレス鋼板の下端部に固着されている
ことを特徴とする請求項１記載の農作業機。
【請求項７】
耕耘作業をする耕耘体と、
この耕耘体の後方で整地作業をする整地板とを備え、
前記整地板は、
整地板本体と、
この整地板本体の下端部に脱着可能に取り付けられ、前記整地板の下端部を構成するステンレス鋼板とを有する
ことを特徴とする農作業機。
【発明の詳細な説明】
【技術分野】
【０００１】
本発明は、ステンレス鋼板のみを交換できる農作業機に関するものである。
【背景技術】
【０００２】
従来、例えば特許文献１に記載された農作業機が知られている。
【０００３】
この従来の農作業機は、例えばトラクタ等の走行車に連結される機体と、この機体に回転可能に設けられ耕耘作業をする耕耘体と、この耕耘体の後方で整地作業をする整地板と、この整地板の耕耘体と対向する側の面に溶接等により一体に固着されたステンレス鋼板とを備えている。
【先行技術文献】
【特許文献】
【０００４】
【特許文献１】特開平７−２３６０４号公報
【発明の概要】
【発明が解決しようとする課題】
【０００５】
しかしながら、上記従来の農作業機では、ステンレス鋼板が整地板に溶接等により一体に固着されているため、例えばステンレス鋼板が損傷して交換する必要が生じた場合等に、ステンレス鋼板のみを交換することができない、という問題がある。
【０００６】
本発明は、このような点に鑑みなされたもので、ステンレス鋼板のみを交換できる農作業機を提供することを目的とする。
【課題を解決するための手段】
【０００７】
請求項１記載の農作業機は、耕耘作業をする耕耘体と、この耕耘体の後方で整地作業をする整地板と、この整地板の前記耕耘体と対向する側の面の少なくとも一部を覆うステンレス鋼板とを備え、前記ステンレス鋼板は、前記整地板に対して脱着可能となっており、前記ステンレス鋼板が前記整地板に取り付けられた状態では、前記ステンレス鋼板の上下端部が前記整地板に対して解除可能に固定されているものである。
【０００８】
請求項２記載の農作業機は、請求項１記載の農作業機において、ステンレス鋼板は、上方側に曲げられた曲板部を下端部に有し、整地板の下端部が前記曲板部内に嵌入されることにより、前記ステンレス鋼板の下端部が前記整地板の下端部に対して解除可能に固定されているものである。
【０００９】
請求項３記載の農作業機は、請求項１記載の農作業機において、整地板の下端部に設けられた係合体を備え、ステンレス鋼板は、上方側に曲げられた曲板部を下端部に有し、前記曲板部が前記係合体と係合することにより、前記ステンレス鋼板の下端部が前記整地板の下端部に対して解除可能に固定されているものである。
【００１０】
請求項４記載の農作業機は、請求項１記載の農作業機において、整地板に突設され、係合凹部が形成された背板を備え、ステンレス鋼板は、上方側に曲げられた曲板部を下端部に有し、前記曲板部が前記係合凹部と係合することにより、前記ステンレス鋼板の下端部が前記整地板の下端部に対して解除可能に固定されているものである。
【００１１】
請求項５記載の農作業機は、請求項１記載の農作業機において、ステンレス鋼板は、上方側に曲げられた曲板部を下端部に有し、前記曲板部を整地板の下端部に対して固定するためのボルトおよびナットを備えるものである。
【００１２】
請求項６記載の農作業機は、請求項１記載の農作業機において、ステンレス鋼板の下端部を整地板の下端部に対して固定するためのボルトおよびナットを備え、前記ボルトおよび前記ナットのいずれか一方が、前記ステンレス鋼板の下端部に固着されているものである。
【００１３】
請求項７記載の農作業機は、耕耘作業をする耕耘体と、この耕耘体の後方で整地作業をする整地板とを備え、前記整地板は、整地板本体と、この整地板本体の下端部に脱着可能に取り付けられ、前記整地板の下端部を構成するステンレス鋼板とを有するものである。
【発明の効果】
【００１４】
本発明によれば、ステンレス鋼板が損傷して交換する必要が生じた場合等に、その損傷したステンレス鋼板のみを交換することができる。
【図面の簡単な説明】
【００１５】
【図１】本発明の第１の実施の形態に係る農作業機の側面図である。
【図２】同上農作業機の平面図である。
【図３】同上農作業機の要部断面図である。
【図４】本発明の第２の実施の形態に係る農作業機の要部断面図である。
【図５】本発明の第３の実施の形態に係る農作業機の要部断面図である。
【図６】本発明の第４の実施の形態に係る農作業機の要部断面図である。
【図７】本発明の第５の実施の形態に係る農作業機の要部断面図である。
【図８】本発明の第６の実施の形態に係る農作業機の要部断面図である。
【図９】本発明の第７の実施の形態に係る農作業機の要部断面図である。
【発明を実施するための形態】
【００１６】
本発明の第１の実施の形態について図１ないし図３を参照して説明する。
【００１７】
図１および図２において、１は農作業機で、この農作業機１は、例えば走行車であるトラクタ（図示せず）の後部に連結され、トラクタの走行により圃場を前方（進行方向）に移動しながら耕耘整地作業等を行うものである。
【００１８】
農作業機１は、図示しないトラクタの後部の３点リンクヒッチ部（作業機昇降支持部）に脱着可能に連結された機体２を備えている。
【００１９】
機体２は、左右方向長手状で円筒状をなすフレーム部であるフレームパイプ部３を有している。フレームパイプ部３の長手方向中央部には、前後方向の入力軸４を回転可能に保持する入力軸保持部５が設けられている。入力軸４は、図示しないトラクタのＰＴＯ軸にジョイント等を介して接続されており、ＰＴＯ軸の回転によりトラクタ側からの動力が入力軸４から農作業機１側に入力される。
【００２０】
また、機体２は、フレームパイプ部３の長手方向一端部である左端部に設けられた箱状の伝動ケース部であるチェーンケース部６と、フレームパイプ部３の長手方向他端部である右端部に設けられた板状のブラケット部７とを有している。
【００２１】
そして、互いに離間対向する左右のチェーンケース部６およびブラケット部７間には、所定方向に回転しながら耕耘作業をするロータリ式の耕耘体11が回転可能に架設されている。
【００２２】
耕耘体11は、機体２のチェーンケース部６内のチェーン（図示せず）側から動力を受けて回転する左右方向の回転軸である耕耘軸12と、この耕耘軸12の爪取付部に取り付けられこの耕耘軸12と一体となって回転して耕耘作業をする複数の耕耘爪13とを有している。耕耘軸12は、軸方向一端部である左端部がチェーンケース部６の下部にてベアリング等を介して回転可能に支持されかつ軸方向他端部である右端部がブラケット部７の下部にてベアリング等を介して回転可能に支持されている。
【００２３】
また、耕耘体11の上方部は、上方に向かって凸の湾曲板状の耕耘体カバー部14にて覆われている。耕耘体11の左右の側方には側方カバー板15が配設されており、左側の側方カバー板15がチェーンケース部６の後端部に取り付けられ、右側の側方カバー板15がブラケット部７の後端部に取り付けられている。
【００２４】
そして、機体２の耕耘体カバー部14の後端部には、耕耘体11の後方で圃場表面に追従するように上下動しながら整地作業をする整地体21が設けられている。
【００２５】
整地体21は、耕耘体11の後方で整地作業をして圃場表面を均平にする左右方向長手状で矩形状の整地板（均平板）23を有している。整地板23は、機体２の耕耘体カバー部14の後端部に複数の蝶番24を介して取り付けられ、その耕耘体カバー部14に対して左右方向の軸線ａを中心として上下方向に回動可能となっている。なお、整地板23は、例えば１枚の鉄板からなるもので、上部が後方に向かって凸の湾曲状に形成され、下部が前方に向かって凸の湾曲状に形成されている。
【００２６】
そして、整地板23の耕耘体11と対向する側の面の少なくとも一部、すなわち例えば整地板23のうち前面下部を含む部分を覆う弾性変形可能な土付着防止用のステンレス鋼板25が、整地板23に脱着可能に取り付けられている。つまり、整地板23にはこの整地板23に接触してこの整地板23と重なり合うように１枚のステンレス鋼板25が脱着可能に設けられている。
【００２７】
そして、このステンレス鋼板25が整地板23に取り付けられた状態では、ステンレス鋼板25の上下端部が整地板23に対して解除可能に固定されている。
【００２８】
ここで、図３に示されるように、整地板23は、左右方向に細長い筒状（略筒状を含む）になるように曲げられた下端筒状部26を下端部に有している。
【００２９】
整地板23の下端筒状部26は、後側ほど離間距離が大きいテーパ状に配置された上側平板部27および下側平板部28と、これら両平板部27，28の端部同士を繋ぐ断面半円弧状の円弧板部29とにて構成されている。なお、下側平板部28は、整地板23のうち上側平板部27に折れ部30を介して連設された平板部31と同一面状（略同一面状を含む）に位置している。
【００３０】
ステンレス鋼板25は、上方側に曲げられた断面Ｃ字状の弾性変形可能なカール部である曲板部41を下端部に有している。つまり、ステンレス鋼板25の下端部が、断面Ｃ字状（断面略Ｃ字状を含む）となるように湾曲状に曲げられて曲板部41となっている。この曲板部41は、整地板23の下端筒状部26に対応した形状で、この下端筒状部26の外面に接触してこの外面を覆うものである。
【００３１】
そして、ステンレス鋼板25は、貫通孔42が形成された上端平板部43と、この上端平板部43の下端に連設され整地板23に対応した湾曲状の湾曲板部44と、この湾曲板部44の下端に連設された下端側平板部45と、この下端側平板部45の下端に連設された断面Ｃ字状の曲板部41とにて構成されている。
【００３２】
曲板部41の自由端部分41aは、ステンレス鋼板25の下端側平板部45から上方に離れており、この曲板部41の自由端部分41aと下端側平板部45との間には開口部46がある。なお、曲板部41の自由端部分41aは、下方に向かって凸の湾曲状に形成されており、この自由端部分41aの下面には、下端筒状部26の上側平板部27の上面に圧接する圧接面40が形成されている。
【００３３】
そして、整地板23の下端筒状部26が開口部46から断面Ｃ字状の曲板部41内に押し込まれて嵌脱可能に嵌入されることにより、ステンレス鋼板25の下端部が整地板23の下端部に対して解除可能に固定されている。つまり、ステンレス鋼板25の曲板部41が、整地板23の下端筒状部26の外周側に嵌合固定されている。
【００３４】
換言すると、ステンレス鋼板25の曲板部41は、整地板23の下端筒状部26の嵌入によりその下端筒状部26に対応した形状となって密着するように開口部46の開方向に弾性変形しており、この弾性変形した曲板部41は、その弾性復元力に基づいて整地板23の下端筒状部26の外周側に嵌脱可能に嵌合固定（係合固定）されている。
【００３５】
一方、ステンレス鋼板25の上端部は、固定手段であるボルト51およびナット52によって、整地板23の中間部である被固定部35に対して解除可能に固定されている。
【００３６】
つまり、互いに連通した整地板23の被固定部35の貫通孔36およびステンレス鋼板25の上端平板部43の貫通孔42にボルト51の軸部51aが挿通され、この挿通された軸部51aにナット52がワッシャ53とともに螺合されている。
【００３７】
なお、ボルト51の頭部51bはステンレス鋼板25の上端部前面から前方へ突出しているが、ステンレス鋼板25の下端部前面（接地面部）にはボルト等の固定部材が何ら存在しておらず、このステンレス鋼板25の下端部前面は滑らかな平面状になっている。
【００３８】
また、整地板23の後面には、上下方向長手状の背板55が左右両側に２枚ずつ固定的に突設されている。これら左右両側におけるそれぞれの２枚の背板55には、付勢部材56を有する接地圧調整手段57が取り付けられている。そして、ステンレス鋼板25の下端部前面（接地面部）の接地圧は、接地圧調整手段57により調整可能となっている。また、整地板23の左右方向両端部には、上下方向長手状の側板58が固設されている。なお、整地板23、ステンレス鋼板25、背板55および側板58等にて、整地体21が構成されている。
【００３９】
なお、機体２の前部には、耕耘体11の耕耘深さを一定に維持するためのゲージ輪59が取り付けられている（図１参照）。
【００４０】
次に、農作業機１の作用等を説明する。
【００４１】
農作業機１をトラクタに連結し、このトラクタの走行により農作業機１を圃場で前方へ移動させると、耕耘体11が所定方向に回転しながら耕耘作業をし、この耕耘体11の後方で整地体21が圃場表面に応じて上下動しながら整地作業をする。
【００４２】
ここで、例えばステンレス鋼板25が損傷して交換する必要が生じた場合等には、図３の２点鎖線で示すように、その損傷したステンレス鋼板25のみを整地板23から取り外し、その後、新たなステンレス鋼板25を整地板23に取り付ける。
【００４３】
具体的に説明すると、ステンレス鋼板25の取り外しは、まず、ボルト51とナット52との螺合を解除することにより、整地板23の被固定部35に対するステンレス鋼板25の上端部の固定を解除する。その後、ステンレス鋼板25の曲板部41を弾性変形させつつその曲板部41内から整地板23の下端筒状部26を抜き出すことにより、整地板23の下端筒状部26に対するステンレス鋼板25の下端部の固定を解除する。こうして、ステンレス鋼板25を整地板23から取り外すことが可能である。
【００４４】
また、ステンレス鋼板25の取り付けは、まず、ステンレス鋼板25の曲板部41を弾性変形させつつその曲板部41内へ整地板23の下端筒状部26を嵌入することにより、整地板23の下端筒状部26に対してステンレス鋼板25の下端部を固定する。その後、ボルト51の軸部51aをボルト挿通用の貫通孔36，42に挿通させてこの軸部51aにナット52を螺合することにより、整地板23の被固定部35に対してステンレス鋼板25の上端部を固定する。こうして、ステンレス鋼板25を整地板23に取り付けることが可能である。
【００４５】
そして、農作業機１によれば、ステンレス鋼板25が損傷して交換する必要が生じた場合等に、整地板23を交換することなく、その損傷したステンレス鋼板25のみを交換することができ、よって、その交換作業が容易であり、それに伴う費用の削減も図ることができる。
【００４６】
また、ステンレス鋼板25の上端部および下端部を整地板23に対して固定することにより、ステンレス鋼板25を整地板23に適切に固定できる。
【００４７】
さらに、整地板23の下端部をステンレス鋼板25の断面Ｃ字状の曲板部41内に嵌入することにより、ステンレス鋼板25の下端部を整地板23の下端部に対して容易かつ適切に固定できる。
【００４８】
なお、ステンレス鋼板25の曲板部41は、断面Ｃ字状には限定されず、例えば断面円弧状、断面Ｊ字状、或いは断面コ字状等でもよい。
【００４９】
次に、本発明の第２の実施の形態について図４を参照して説明する。
【００５０】
この第２の実施の形態に係る農作業機１は、整地板23の下端筒状部26の上側平板部27に脱着可能に取り付けられた左右方向長手状で板状の押え板等の係合体61を備えている。
【００５１】
係合体61は、取付板部62と、この取付板部62の後端部から下方に向かって突出する係合板部63とを有している。取付板部62は、固定手段であるボルト64およびナット65によって整地板23の下端筒状部26の上側平板部27に脱着可能に取り付けられている。
【００５２】
また、ステンレス鋼板25は、上方側に曲げられた断面半円弧状の曲板部66を下端部に有しており、この曲板部66の先端部が係合板部63と係脱可能に係合する係合部67となっている。なお、曲板部66は、整地板23の下端筒状部26に対応した形状で、この下端筒状部26の外面に接触してこの外面を覆うものである。
【００５３】
そして、曲板部66の係合部67が係合体61の係合板部63と当接係合することにより、ステンレス鋼板25の下端部が整地板23の下端部に対して解除可能に固定されている。
【００５４】
つまり、曲板部66の係合部67が係合体61の係合板部63と整地板23の下端筒状部26の円弧板部29との間に挿入されてその係合板部63にて押えられることにより、ステンレス鋼板25の下端部の曲板部66が整地板23の下端筒状部26に対して解除可能に固定されている。なお、第２の実施の形態のその他の構成は、第１の実施の形態と基本的に同じである。
【００５５】
そして、この第２の実施の形態に係る農作業機１でも、ステンレス鋼板25が損傷して交換する必要が生じた場合等に、整地板23を交換することなく、その損傷したステンレス鋼板25のみを交換することができる等の作用効果を奏することができる。
【００５６】
また、ステンレス鋼板25の曲板部66を係合体61と係合させることにより、ステンレス鋼板25の下端部を整地板23の下端部に対して容易かつ適切に固定できる。
【００５７】
なお、例えば係合体61を整地板23に固設した構成や、係合体61の係合板部63を曲板部66の形状に合わせて円弧状にした構成等でもよい。
【００５８】
次に、本発明の第３の実施の形態について図５を参照して説明する。
【００５９】
この第３の実施の形態に係る農作業機１では、整地板23に突設された背板55の下端部に、下方に向かって開口する三角形状の切欠き部である係合凹部71が形成されている。
【００６０】
また、ステンレス鋼板25は、上方側に曲げられた断面Ｊ字状（断面略Ｊ字状を含む）の曲板部72を下端部に有しており、この曲板部72の先端部が係合凹部71と係脱可能に係合する係合部73となっている。なお、曲板部72は、整地板23の下端筒状部26に対応した形状で、この下端筒状部26の外面に接触してこの外面を覆うものである。
【００６１】
そして、曲板部72の係合部73が背板55の係合凹部71と当接係合することにより、ステンレス鋼板25の下端部が整地板23の下端部に対して解除可能に固定されている。
【００６２】
つまり、曲板部72の係合部73が背板55の係合凹部71内に挿入されてその係合凹部71にて押えられることにより、ステンレス鋼板25の下端部の曲板部72が整地板23の下端筒状部26に対して解除可能に固定されている。なお、第３の実施の形態のその他の構成は、第１の実施の形態と基本的に同じである。
【００６３】
そして、この第３の実施の形態に係る農作業機１でも、ステンレス鋼板25が損傷して交換する必要が生じた場合等に、整地板23を交換することなく、その損傷したステンレス鋼板25のみを交換することができる等の作用効果を奏することができる。
【００６４】
また、ステンレス鋼板25の曲板部72を背板55の係合凹部71と係合させることにより、ステンレス鋼板25の下端部を整地板23の下端部に対して容易かつ適切に固定できる。
【００６５】
なお、背板55の係合凹部71の形状は、三角形状以外でもよく、例えば矩形状や半円状等でもよい。
【００６６】
次に、本発明の第４の実施の形態について図６を参照して説明する。
【００６７】
この第４の実施の形態に係る農作業機１では、整地板23の下端筒状部26は、後側ほど離間距離が大きいテーパ状に配置された上側平板部27および下側平板部28と、これら両平板部27，28の端部同士を繋ぐ断面Ｌ字状のＬ字板部76とにて構成されている。このＬ字板部76は、水平板77と、この水平板77の後端に立設された鉛直板78とを有しており、この鉛直板78にはボルト挿通用の貫通孔79が形成されている。なお、下側平板部28は、整地板23のうち上側平板部27に折れ部30を介して連設された平板部31と同一面状（略同一面状を含む）に位置している。
【００６８】
また、ステンレス鋼板25は、上方側に曲げられた断面Ｊ字状の曲板部80を下端部に有しており、この曲板部80には、ボルト挿通用の貫通孔81が形成されている。
【００６９】
さらに、この農作業機１は、ステンレス鋼板25の下端部の曲板部80を、整地板23の下端部の下端筒状部26に対して固定するためのボルト83およびナット84を備えている。
【００７０】
ボルト83およびナット84のいずれか一方、すなわち例えばナット84は、下端筒状部26のＬ字板部76の鉛直板78の内面に溶接等により固着されている。つまり、整地板23の下端筒状部26の内側にナット84が固設されている。
【００７１】
そして、ボルト83の軸部83aがワッシャ85および貫通孔79，81に挿通されてナット84に螺合されることにより、ステンレス鋼板25の下端部が整地板23の下端部に対して解除可能に固定されている。なお、第４の実施の形態のその他の構成は、第１の実施の形態と基本的に同じである。
【００７２】
そして、この第４の実施の形態に係る農作業機１でも、ステンレス鋼板25が損傷して交換する必要が生じた場合等に、整地板23を交換することなく、その損傷したステンレス鋼板25のみを交換することができる等の作用効果を奏することができる。
【００７３】
また、整地板23の下端筒状部26の内側に固着したナット（溶接ナット）84にボルト83を螺合することにより、ステンレス鋼板25の下端部を整地板23の下端部に対して容易かつ適切に固定できる。
【００７４】
なお、例えばナット84ではなく、ボルト83の頭部83bを下端筒状部26の鉛直板78の内面に溶接等で固着し、そのボルト83の軸部83aにナット84を螺合するようにしてもよい。
【００７５】
次に、本発明の第５の実施の形態について図７を参照して説明する。
【００７６】
この第５の実施の形態に係る農作業機１は、ステンレス鋼板25の下端部を整地板23の下端部の下端筒状部26に対して固定するためのボルト86およびナット87を備えている。
【００７７】
また、ステンレス鋼板25は、下端部に曲板部を有しておらず、貫通孔42が形成された上端平板部43と、この上端平板部43の下端に連設され整地板23に対応した湾曲状の湾曲板部44と、この湾曲板部44の下端に連設された平板部である下端平板部45とにて構成されている。なお、ステンレス鋼板25が下端部に曲板部を有した構成でもよい。
【００７８】
この下端平板部45の下端部後面には、高ナットであるナット87が溶接等により固着されている。つまり、軸方向長さ寸法が長いナット87が、ステンレス鋼板25の下端部後面に後方側へ突出するように固着されている。
【００７９】
このナット87は、整地板23の下端筒状部26に形成されたナット挿通用孔88，89に挿通され、このナット87の上端部が下端筒状部26外に突出して位置している。
【００８０】
そして、ボルト86の軸部86aがナット87に螺合されることにより、ステンレス鋼板25の下端部が整地板23の下端部に対して解除可能に固定されている。ボルト86の頭部86bは下端筒状部26のナット挿通用孔89よりも大きく、頭部86bと下端筒状部26との当接によりナット87がナット挿通用孔88，89から抜け出ないようになっている。なお、第５の実施の形態のその他の構成は、第１の実施の形態と基本的に同じである。
【００８１】
そして、この第５の実施の形態に係る農作業機１でも、ステンレス鋼板25が損傷して交換する必要が生じた場合等に、整地板23を交換することなく、その損傷したステンレス鋼板25のみを交換することができる等の作用効果を奏することができる。
【００８２】
また、ステンレス鋼板25の下端部に固着したナット（溶接ナット）87にボルト86を螺合することにより、ステンレス鋼板25の下端部を整地板23の下端部に対して容易かつ適切に固定できる。
【００８３】
なお、例えば整地板23の下端筒状部26にナット挿通用孔89の代わりにボルト挿通用孔を形成して、ボルト86の軸部86aをそのボルト挿通用孔に挿通して下端筒状部26内のナット87に螺合するようにしてもよい。
【００８４】
さらに、上記第５の実施の形態では、ボルト86およびナット87のいずれか一方であるナット87が、ステンレス鋼板25の下端部後面に固着された構成について説明したが、例えば図８に示す第６の実施の形態のように、ボルト86をステンレス鋼板25の下端部後面に後方側へ突出するように固着した構成でもよい。
【００８５】
この図８に示すボルト86は、頭部86bを有さず、ボルト軸部である軸部86aのみにて構成されている。そして、ボルト86の軸部86aは、整地板23の下端筒状部26に形成されたボルト挿通用孔90，91に挿通され、この軸部86aの上端部が下端筒状部26外に後方に向かって突出して位置している。
【００８６】
そして、ボルト86の軸部86aの上端部にナット87が螺合されることにより、ステンレス鋼板25の下端部が整地板23の下端部に対して解除可能に固定されている。なお、第６の実施の形態のその他の構成は、第１の実施の形態と基本的に同じである。
【００８７】
次に、本発明の第７の実施の形態について図９を参照して説明する。
【００８８】
この第７の実施の形態に係る農作業機１では、整地板23は、上部が後方に向かって凸の湾曲状に形成されかつ下部が前方に向かって凸の湾曲状に形成された１枚の鉄板からなる整地板本体101と、この整地板本体101の下端部にボルト103およびナット104にて脱着可能に取り付けられ整地板23の下端部を構成する筒状のステンレス鋼板102とを有している。
【００８９】
整地板本体101は、本体板部106と、この本体板部106の下端に連設され後方側へ折り曲げられた取付板部107とにて構成されている。取付板部107には、ボルト挿通用の貫通孔108が形成されている。
【００９０】
ステンレス鋼板102は、例えば１枚のステンレス板を２重になるように折り返して筒状に形成したもので、整地板23の下端部となる筒状部111と、この筒状部111の上端に連設され後方側へ折り曲げられた取付板部112とにて構成されている。取付板部112には、ボルト挿通用の貫通孔113が形成されている。
【００９１】
筒状部111は、後側ほど離間距離が大きいテーパ状に配置された上側平板部114および下側平板部115と、これら両平板部114，115の端部同士を繋ぐ断面半円弧状の円弧板部116とにて構成されている。なお、下側平板部115は、整地板本体101の本体板部106の下端部と同一面状（略同一面状を含む）に位置している。つまり、本体板部106と下側平板部115との間に段差がなく、これら本体板部106と下側平板部115とが連続している。
【００９２】
そして、ボルト103の軸部103aが貫通孔108，113およびワッシャ105に挿通され、この挿通された軸部103aにナット104が螺合されることにより、ステンレス鋼板102の取付板部112が整地板本体101の取付板部107に固定的に取り付けられている。このボルト103の頭部103bは、貫通孔108，113よりも大きく、取付板部107の上面に当接している。なお、ボルト103とナット104との螺合の解除により、ステンレス鋼板102の取付板部112を整地板本体101の取付板部107から取り外すことが可能である。
【００９３】
また、背板55の下端部には、支持板である背板取付板117がボルトおよびナット（図示せず）にて脱着可能に取り付けられている。そして、ステンレス鋼板102の取付板部112が背板取付板117の前縁部と整地板本体101の取付板部107とにて挟持され、かつ、ステンレス鋼板102の筒状部111の上側平板部114が背板取付板117の下縁部に当接している。なお、第７の実施の形態のその他の構成は、第１の実施の形態と基本的に同じである。
【００９４】
そして、この第７の実施の形態に係る農作業機１でも、ステンレス鋼板102が損傷して交換する必要が生じた場合等に、整地板本体101を交換することなく、その損傷したステンレス鋼板102のみを交換することができる。
【００９５】
なお、ステンレス鋼板102の形状は、筒状には限定されず、例えば平板状や曲板状等でもよい。
【００９６】
また、ステンレス鋼板102と背板取付板117とが別体である構成には限定されず、背板取付板117をステンレス鋼板102に溶接等により一体に固着した構成でもよい。
【００９７】
さらに、第１ないし第６の実施の形態において、ステンレス鋼板25は、整地板23の耕耘体11と対向する側の面の一部を覆うものとして説明したが、整地板23の耕耘体11と対向する側の面の全部を覆うものであってもよい。
【００９８】
また、ボルト51およびナット52以外の固定手段を用いて、ステンレス鋼板25の上端部を整地板23に対して解除可能に固定するようにしてもよい。
【符号の説明】
【００９９】
１    農作業機
11    耕耘体
23    整地板
25    ステンレス鋼板
41    曲板部
55    背板
61    係合体
66    曲板部
71    係合凹部
72    曲板部
80    曲板部
83    ボルト
84    ナット
86    ボルト
87    ナット
101   整地板本体
102   ステンレス鋼板
【図１】
2014039488.tif 000003
【図２】
2014039488.tif 000004
【図３】
2014039488.tif 000005
【図４】
2014039488.tif 000006
【図５】
2014039488.tif 000007
【図６】
2014039488.tif 000008
【図７】
2014039488.tif 000009
【図８】
2014039488.tif 000010
【図９】
2014039488.tif 000011